(57)【要約】      （修正有）【課題】容易に打刻を行なうことができる革用打刻シートおよびそれを含む革用打刻キットを提供する。【解決課題】突設された打刻文字を革製品３００の表面に載置し、当該革用打刻シート１００の片面の逆側から力を与えることにより革製品３００に打刻する。また、半透明または透明シートからなり、複数の打刻文字が一枚のフィルムに突設され、革用打刻シート１００を移動することで、多数の文字を容易に打刻することができる。【選択図】図１
0003179661.tif 000002
【実用新案登録請求の範囲】
【請求項１】
半透明または透明シートの片面に複数の打刻文字が突設されたことを特徴とする革用打刻シート。
【請求項２】
前記打刻文字は、紫外線硬化樹脂により形成されたことを特徴とする請求項１記載の革用打刻シート。
【請求項３】
前記半透明または透明シートは、ポリエチレンテレフタレートからなることを特徴とする請求項１または２記載の革用打刻シート。
【請求項４】
前記打刻文字は、非透明または着色されたことを特徴とする請求項１から３のいずれか１項に記載の革用打刻シート。
【請求項５】
前記複数の打刻文字に応じて前記半透明または透明シートに位置決めが形成されたことを特徴とする請求項１から４のいずれか１項に記載の革用打刻シート。
【請求項６】
前記請求項１から請求項５のいずれか１項に記載の革用打刻シートと、
前記突設された複数の打刻文字の個々の大きさに応じた打刻棒とを含む、打刻キット。
【考案の詳細な説明】
【技術分野】
【０００１】
本考案は、革製品に対して文字などを打刻する革用打刻シートおよびそれを含む革用打刻キットに関する。
【背景技術】
【０００２】
従来から、革製品に対して文字などを打刻する装置が開発されている。
【０００３】
特許文献１（特開２０１１−１７３３１８号公報）には、装置のコストを増大させず、ドット抜けなどの不具合を解消しうる打刻装置、打刻パターンの形成方法及びプログラムについて開示されている。
【０００４】
特許文献１（特開２０１１−１７３３１８号公報）記載の打刻装置においては、所定位置に配置された複数の打刻ピンを用いて被打刻物を打刻する打刻ヘッドを具備し、打刻ヘッドにより被打刻物の表面を順次打刻して複数の打刻部により打刻パターンを構成する打刻装置であって、打刻ヘッドを移動させることにより、複数の打刻ピンを被打刻物に対して相対的に移動させる移動手段と、打刻ピンを駆動する駆動手段と、打刻ピンから少なくとも１つを選択するとともに、駆動手段を制御し、当該少なくとも１つの打刻ピンを駆動させる制御手段と、を備え、制御手段は、さらに移動手段を制御し、打刻パターンを構成する打刻部のそれぞれが、打刻ヘッドにおける少なくとも２つの異なる打刻ピンで打刻されるように打刻ヘッドを被打刻物に対する所定の位置に位置させる、ことを特徴とするものである。
【先行技術文献】
【特許文献】
【０００５】
【特許文献１】特開２０１１−１７３３１８号公報
【考案の概要】
【考案が解決しようとする課題】
【０００６】
しかしながら、多数の文字を打刻したい場合、特許文献１記載の打刻ピンでは、文字の個数に合わせて多数必要となり、装置が大きくなってしまう問題がある。
【０００７】
特に革製品に対して打刻を行なうには、大がかりな装置が必要となり、ユーザが自由に打刻を行なうことに制限があった。
【０００８】
本考案の目的は、容易に打刻を行なうことができる革用打刻シートおよびそれを含む革用打刻キットを提供することである。
【課題を解決するための手段】
【０００９】
（１）
一局面に従う革用打刻シートは、半透明または透明シートの片面に複数の打刻文字が突設されたものである。
【００１０】
この場合、突設された打刻文字を被打刻革の表面に載置し、当該シートの片面の逆側から力を与えることにより被打刻革に打刻することができる。
また、半透明または透明シートからなるので、打刻位置を容易に認識することができる。
さらに、複数の打刻文字が一枚のシートに突設されているので、当該シートを移動することで、多数の文字を容易に打刻することができる。
なお、打刻文字には、文字、記号、模様、図柄、絵、アルファベット、ひらがな、漢字、カタカナ、マーク等が含まれる。
【００１１】
（２）
第２の考案に係る革用打刻シートは、一局面に従う革用打刻シートであって、打刻文字は、紫外線硬化樹脂により形成されてもよい。
【００１２】
この場合、打刻文字は、紫外線硬化樹脂により形成されるので、硬さを維持し被打刻革に対して確実に打刻を行なうことができる。
【００１３】
（３）
第３の考案に係る革用打刻シートは、一局面に従うまたは第２の考案に係る革用打刻シートであって、半透明または透明シートは、ポリエチレンテレフタレートからなってもよい。
【００１４】
この場合、半透明または透明シートがポリエチレンテレフタレート（以下、ＰＥＴと略記する）からなるので、容易に透明度を向上させることができる。また、成形性および寸法安定性、コストの面からも有効である。
【００１５】
（４）
第４の考案に係る革用打刻シートは、一局面に従う、第２または第３の考案に係る革用打刻シートであって、打刻文字は、非透明または着色されたものである。
【００１６】
この場合、打刻文字が非透明または着色されているので、革用打刻シートに配置された打刻文字を容易に認識することができる。
【００１７】
（５）
第５の考案に係る革用打刻シートは、一局面に従う、第２、第３または第４の考案に係る革用打刻シートであって、複数の打刻文字に応じて半透明または透明シートに位置決めが形成されてもよい。
【００１８】
この場合、位置決めが形成されているので、被打刻革に打刻する場合に、容易に位置決めを行なうことができる。
【００１９】
（６）
他の局面に従う革用打刻キットは、請求項１から請求項５のいずれか１項に記載の革用打刻シートと、革用打刻シートに突設された複数の打刻文字の個々の大きさに応じた打刻棒とを含むものである。
【００２０】
この場合、革用打刻シートに突設された打刻文字を被打刻革の表面に載置し、当該シートの片面の逆側から打刻棒を用いて力を与えることにより被打刻革に打刻することができる。
【考案の効果】
【００２１】
本考案によれば、容易に打刻を行なうことができる革用打刻シートおよびそれを含む革用打刻キットを提供できる。
【図面の簡単な説明】
【００２２】
【図１】本実施の形態における革用打刻キットの一例を示す模式図である。
【図２】革用打刻シートの一例を示す模式図である。
【図３】革用打刻シートの形成方法を説明するための模式図である。
【図４】革用打刻キットの他の例を示す模式図である。
【考案を実施するための形態】
【００２３】
以下、本考案に係る実施の形態について図面を用いて説明する。図１は、本実施の形態における革用打刻キット５００の一例を示す模式図である。
【００２４】
（革用打刻キットの説明）
図１に示すように、革用打刻キット５００は、革用打刻シート１００および打刻棒２００を含む。打刻方法については、後述する。
【００２５】
（革用打刻シート）
図２は、革用打刻シート１００の一例を示す模式図である。図２（ａ）は、平面を示し、図２（ｂ）は側面の一例を示す。
【００２６】
図２に示すように、革用打刻シート１００は、フィルム１１０および打刻文字１２０からなる。すなわち、フィルム１１０の片面に打刻文字１２０が突設される。
【００２７】
フィルム１１０は、ポリエチレンテレフタレート（ＰＥＴ）からなる。また、フィルム１１０は、透明からなる。本実施の形態においてフィルム１１０の厚みは、０．１ｍｍである。
【００２８】
なお、本実施の形態に係るフィルム１１０は、ＰＥＴからなることとしているが、これに限定されず、半透明または透明の部材であればよい。
また、フィルム１１０の厚みは、０．０１ｍｍ以上２．０ｍｍ以下であることが好ましい。
すなわち、フィルム１１０の素材および厚みは、革製品３００における打刻位置が視認できる範囲であれば、他の任意のものを選択してもよい。
【００２９】
また、打刻文字１２０は、フィルム１１０の片面から約１ｍｍ凸形状で突設される。なお、打刻文字１２０は、フィルム１１０の片面から０．２ｍｍ以上５ｍｍ以下の凸形状の範囲であることが好ましい。
また、打刻文字１２０は、革製品３００に打刻されやすいように、テーパ形状からなる。打刻文字１２０は、紫外線硬化樹脂からなる。この打刻文字１２０の形成方法については、後述する。なお、打刻文字１２０は、紫外線硬化樹脂からなることとしているが、これに限定されず、他の任意の樹脂などからなってもよい。
【００３０】
図２に示すように、打刻文字１２０は、文字、記号、模様、図柄、絵、アルファベット、ひらがな、漢字、カタカナ、マーク等、あらゆる模様、形状、図等からなる。
なお、打刻文字１２０は、打刻するために形成されているため、反転文字であることは、いうまでもない。
【００３１】
また、図２のように、一枚のフィルム１１０の片面には、複数個の打刻文字１２０が形成され、打刻文字１２０は、縦方向のピッチがＬ２０であり、横方向のピッチがＬ３０で形成される。当該縦方向および横方向のピッチＬ２０，Ｌ３０は、複数個の打刻文字１２０のうち一個の打刻文字１２０の裏側部位１８０に圧力が加わった際に、周囲の隣接する打刻文字１２０に圧力が加わらない距離である。
すなわち、一個の打刻文字１２０、例えば、図２の『Ｈ』の文字を打刻する場合に、『Ａ』，『Ｂ』，『Ｇ』，『Ｉ』，『ア』，『イ』の打刻文字１２０に圧力が加わらない距離を言う。
なお、このピッチＬ２０，Ｌ３０は、フィルム１１０の厚みが薄ければ短くすることができ、厚みが厚ければ長くなることは言うまでもない。
【００３２】
（打刻棒）
また、図１に示す打刻棒２００は、打刻文字１２０の裏側部位１８０の領域に応じた円筒の棒状部材からなる。本実施の形態において、打刻棒２００は、木材からなる。
なお、本実施の形態において、打刻棒２００は、木材からなることとしているが、これに限定されず、金属、樹脂、その他任意の部材からなってもよい。
【００３３】
（打刻方法）
まず、水分を含ませた布などを用いて打刻しようとする革製品（ヌメ革）３００の部位を湿らせる。
次に、図１に示すように、革製品３００に対して、革用打刻シート１００を載置する（図１の矢印ＦＢ）。この場合、革用打刻シート１００は、透明であるため、革製品３００の打刻したい位置に容易に位置あわせをすることができる。
【００３４】
次に、革用打刻シート１００の打刻文字１２０が形成されていない面側から打刻棒２００の一端側を打刻文字１２０の裏側部位１８０に垂直に押し当てる。
【００３５】
そして、打刻棒２００の他端側を木槌４００で矢印ＦＡの方向に叩く。なお、打刻文字１２０の種類によっては、数回木槌４００で矢印ＦＡの方向に叩いてもよい。
【００３６】
（革用打刻シート形成方法）
図３は、革用打刻シート１００の形成方法の一例を示す模式図である。
【００３７】
図３に示すように、フィルム１１０の上に紫外線硬化樹脂６２０を載置させる。なお、図３においては、簡易説明のため、単に四角の枠体として記載しているが、実際は、液体またはゼリー状からなる樹脂を塗布させる。
【００３８】
続いて、紫外線（ＵＶ）を透過させる部分と、紫外線を透過させない部分とを有するマスク６００を載置する。
【００３９】
その後、マスク６００側から、紫外線の照射を行なう。その結果、打刻文字１２０に応じた部分の紫外線硬化樹脂が硬化してフィルム１１０に接着され、紫外線が照射されなかった部分の紫外線硬化樹脂が除去される。それにより、打刻文字１２０が形成される。
【００４０】
（他の例）
次に、革用打刻シート１００の他の例を示す。図４は、革用打刻シートの他の例を示す模式図である。以下、図４の革用打刻シート１００ａが図２の革用打刻シート１００と異なる点にのみ説明を行う。
【００４１】
図４に示すように、革用打刻シート１００ａは、図１の革用打刻シート１００のフィルム１１０にトンボ線１９０ａを有する。
革用打刻シート１００ａは、革製品３００に革用打刻シート１００ａを載置させた場合に、ゆがみ等を調整することができる。
【００４２】
なお、他の例においては、トンボ線１９０ａを用いたが、これに限定されず、切り欠き、またはリブ、その他任意の手法により打刻文字１２０のずれが明確になるものであれば、任意の構造または色を用いることができる。
【００４３】
以上のように、本実施の形態に係る革用打刻シート１００，１００ａおよび革用打刻キット５００は、突設された打刻文字１２０を革製品３００の表面に載置し、当該革用打刻シート１００の片面の逆側から力を与えることにより革製品３００に打刻することができる。
また、革用打刻シート１００は、ポリエチレンテレフタレートの透明シートからなるので、打刻位置を容易に認識することができる。
さらに、複数の打刻文字１２０が一枚のフィルム１１０に突設されているので、当該革用打刻シート１００を移動することで、多数の文字を容易に打刻することができる。
【００４４】
また、打刻文字１２０は、紫外線硬化樹脂により形成されるので、硬さを維持し革製品３００に対して確実に打刻を行なうことができる。
【００４５】
また、革用打刻シート１００ａにおいては、トンボ線１９０ａが形成されているので、革製品３００に打刻する場合に、容易に位置決めを行なうことができる。
【００４６】
本考案においては、フィルム１１０が半透明または透明シートに相当し、打刻文字１２０が複数の打刻文字に相当し、革用打刻シート１００，１００ａが革用打刻シートに相当し、トンボ線１９０ａが位置決めに相当し、打刻棒２００が打刻棒に相当し、革用打刻キット５００が革用打刻キットに相当する。
【００４７】
また、本考案の好ましい一実施の形態は上記の通りであるが、本考案はそれだけに制限されない。本考案の精神と範囲から逸脱することのない様々な実施形態が他になされることは理解されよう。さらに、本実施形態において、本考案の構成による作用および効果を述べているが、これら作用および効果は、一例であり、本考案を限定するものではない。
【符号の説明】
【００４８】
１００，１００ａ  革用打刻シート
１１０  フィルム
１２０  打刻文字
２００  打刻棒
３００  革製品
５００  革用打刻キット
【図１】
0003179661.tif 000003
【図２】
0003179661.tif 000004
【図３】
0003179661.tif 000005
【図４】
0003179661.tif 000006